(57)【要約】【課題】電気的刺激による美容効果を発揮することができるとともに、素材やデザインの自由度が高い美容器を提供する。【解決手段】美容器は、使用者が把持する第３シェル３０と、肌の離れた位置に同時に当接する複数の当接部（第１シェル１０と第１回転体２Ａ、第２シェル２０と第２回転体２Ｂ、又は第１回転体２Ａと第２回転体２Ｂ）と、肌に同時に当接する複数の前記当接部の間において肌を流れる電流を供給する電流供給部とを備えている。当接部である第１シェル１０及び第２シェル２０は美容器の外縁部である。【選択図】図１４
2020025850.tif 000002
【特許請求の範囲】
【請求項１】
使用者が把持する把持部と、
肌の離れた位置に同時に当接する複数の当接部と、
肌に同時に当接する複数の前記当接部の間において肌を流れる電流を供給する電流供給部と、
を備えており、
複数の前記当接部は少なくとも一つが外縁部であることを特徴とする美容器。
【請求項２】
複数の前記当接部の内の一部が肌に当接して移動させると回転する回転体であることを特徴とする請求項１に記載の美容器。
【請求項３】
複数の前記当接部の内の隣り合う２個の前記当接部を肌に同時に当接させて移動させる請求項１又は２に記載の美容器。
【請求項４】
前記把持部は非導電性であることを特徴とする請求項１乃至３のいずれか１項に記載の美容器。
【発明の詳細な説明】
【技術分野】
【０００１】
本発明は美容器に関するものである。
【背景技術】
【０００２】
特許文献１は従来の美容器を開示している。この美容器は、使用者が把持する把持部に設けられた第１電極と、周縁部に設けられた第２電極とを備えている。この美容器は把持部を使用者が把持して周縁部に設けられた第２電極を頬等の肌に当接させながら移動させて利用される。この美容器は、このように利用することによって、使用者の肌に従来から知られている「かっさ」と呼ばれるマッサージ効果を発揮するとともに、第１電極と第２電極との間において人体に電流が流れるため、電気的刺激による美容効果も発揮することができる。
【先行技術文献】
【特許文献】
【０００３】
【特許文献１】国際公開第２０１４／２０８３２９号公報
【発明の概要】
【発明が解決しようとする課題】
【０００４】
しかし、特許文献１の美容器は使用者が把持する部分に電極を設けなければならない。このため、この美容器は使用者が把持する部分の素材やデザインの制約がある。
【０００５】
本発明は上記従来の事情に鑑みてなされたものであって、電気的刺激による美容効果を発揮することができるとともに、素材やデザインの自由度が高い美容器を提供することを解決すべき課題としている。
【課題を解決するための手段】
【０００６】
本発明の美容器は、
使用者が把持する把持部と、
肌の離れた位置に同時に当接する複数の当接部と、
肌に同時に当接する複数の前記当接部の間において肌を流れる電流を供給する電流供給部と、
を備えており、
複数の前記当接部は少なくとも一つが外縁部であることを特徴とする。
【０００７】
この美容器は、使用者が把持部を把持して、複数の当接部を肌の離れた位置に同時に当接させると、これら当接部の間において電流が肌を流れる。また、この美容器は複数の当接部の少なくとも一つが外縁部であり、肌を擦るようにこの外縁部を移動させることによって、肌を押し流したり、引き上げたりするマッサージ効果を発揮するとともに、肌に同時に当接させた複数の当接部の間において肌に電流が流れて電気的刺激による美容効果を発揮することができる。このように、この美容器は、把持部と当接部との間において人体に電流を流すものではないため、把持部の素材やデザインの制約を少なくすることができる。
【０００８】
したがって、この美容器は、電気的刺激による美容効果を発揮することができるとともに、素材やデザインの自由度を高くすることができる。
【図面の簡単な説明】
【０００９】
【図１】実施例１の美容器を示す正面図である。
【図２】実施例１の美容器を示す上面図である。
【図３】実施例１の美容器を示す右側面図である。
【図４】実施例１の美容器を示す左側面図である。
【図５】実施例１の美容器であって、第１〜第３シェル及び回転体を取り外した状態を示す斜視図である。
【図６】第３シェルの対向する内面を示す断面図である。
【図７】電源ユニットが取り付けられた状態のコア部を示す上面図である。
【図８】回転軸が取り付けられたコア部を示す左側面図である。
【図９】実施例１の美容器を示す分解斜視図である。
【図１０】第１コア部の外側面を示す背面図である。
【図１１】第２コア部の内側面を示す背面図である。
【図１２】第１コア部に電源ユニット、第１〜第４導電板、及び回転軸が取り付けられた状態を示す正面図である。
【図１３】電流供給部の構成を示す斜視図である。
【図１４】実施例１の電流供給部の構成を示す一部断面図である。
【図１５】図１４の矢視Ｗ−Ｗ断面図である。
【図１６】図１の矢視Ｘ−Ｘ断面図である。
【図１７】図１の矢視Ｙ−Ｙ断面図である。
【図１８】実施例１の美容器の第１シェルをあご先、第１回転体を口元に同時に当接し、フェイスラインに沿って往復移動させてマッサージを行う状態を示す参考図である。
【図１９】図１８で示す美容器の使用状態の拡大図である。
【図２０】実施例１の美容器の第２シェルを頬に、第２回転体を目元に同時に当接し、口角横から耳の横までを往復移動させてマッサージを行う状態を示す参考図である。
【図２１】図２０で示す美容器の使用状態の拡大図である。
【図２２】実施例１の美容器の第１及び第２回転体をあご先から耳横に向けて肌に同時に当接し、フェイスラインに沿って往復移動させてマッサージ行う状態を示す参考図である。
【図２３】図２２で示す美容器の使用状態の拡大図である。
【図２４】実施例１の美容器の第２シェルと第２回転体を額に同時に当接し、斜め上下方向に往復移動させてマッサージを行う状態を示す参考図である。
【図２５】実施例１の美容器の第１及び第２回転体を首に同時に当接し、首筋に沿って往復移動させてマッサージを行う状態を示す参考図である。
【図２６】実施例２の美容器を示す正面図である。
【図２７】実施例２の美容器を示す左側面図である。
【図２８】実施例２の美容器を示す分解斜視図である。
【図２９】実施例２の美容器であって、第１シェルを取り外した状態を示す正面図である。
【図３０】図２７の矢視Ｖ−Ｖ断面図である。
【図３１】実施例３の美容器を示す正面図である。
【図３２】実施例３の美容器の使用状態を示す拡大図である。
【図３３】実施例４の美容器を示す斜視図である。
【図３４】実施例４の美容器を示す分解斜視図である。
【図３５】実施例４の美容器であって、導電通路の接続態様を説明する図である。
【図３６】他の実施例（７）の美容器であって、導電通路の接続態様を説明する図である。
【図３７】他の実施例（９）の美容器であって、平型導電体及びシャフトの接続態様を説明する図である。
【図３８】他の実施例（１０）の美容器を示す斜視図である。
【発明を実施するための形態】
【００１０】
本発明における好ましい実施の形態を説明する。
本発明の美容器において、複数の当接部の内の一部が肌に当接して移動させると回転する回転体であり得る。この場合、この美容器は回転体が肌に当接して回転しながら移動することによるマッサージ効果を発揮することができる。また、この美容器は回転体によって肌の薄い部分に負担をかけずにマッサージをすることができる。
【００１１】
また、本発明の美容器において、複数の当接部の内の隣り合う２個の当接部を肌に同時に当接させて移動させ得る。この場合、この美容器は、隣り合う２個の当接部によってマッサージ効果と電気的刺激による美容効果とを発揮することができる。
【００１２】
また、本発明の美容器において、把持部は非導電性であり得る。この場合、この美容器は把持部の材質及びデザインの自由度を高くすることができる。
【００１３】
次に、本発明の美容器について、実施例１〜３を利用して説明する。
【００１４】
＜実施例１＞
実施例１の美容器は、図１〜図４に示すように、本体部１と２個の回転体（第１回転体２Ａ、第２回転体２Ｂ）とから構成されている。本体部１は、図１に示す正面視において、上端部が第１凸部３、第２凸部４、及び第１凸部３と第２凸部４の間に位置する第１凹部５で形成されている。なお、実施例１の美容器の説明において上下及び左右は、図１で示す美容器の正面視における上下及び左右である（以下、同じ。）。
【００１５】
第１凸部３は、正面視において、本体部１の上端部の左側で上方に突出している。この第１凸部３は、正面視において、上端の角部３Ａを境にして、左側に左上方向を向いた左傾斜面３Ｂと、右側に右上方向を向いた右傾斜面３Ｃとを有している。左傾斜面３Ｂ及び右傾斜面３Ｃは、正面視において、外縁が外方向に僅かに湾曲している。
第２凸部４は、正面視において、本体部１の上端部の右側で上方に突出している。第２凸部４は、正面視において、外縁が略同じ曲率であり、第１凸部３の左傾斜面３Ｂの外縁及び右傾斜面３Ｃの外縁よりも大きい曲率で湾曲している。
【００１６】
第１凹部５は、正面視において、下方向に凹んで湾曲している。この第１凹部５は、正面視において、外縁が略同じ曲率であり、第２凸部４の外縁よりも大きい曲率で湾曲している。
第１凸部３の右傾斜面３Ｃ、第２凸部４、及び第１凹部５は、図３及び図５に示すように、厚さ方向において、上方に向けて突出した湾曲面で形成されている。なお、実施例１の美容器の説明において厚さ方向は、図１において紙面に対して直交する奥行き方向である（以下同じ。）。第１凸部３の左傾斜面３Ｂは、図２及び図４に示すように、厚さ方向において、第１回転体２Ａ及び第２回転体２Ｂが取り付けられている部分を除いて、略平面で形成されている。本体部１は第１凸部３の左傾斜面３Ｂから突出する後述する２本の回転軸（第１回転軸６Ａ、第２回転軸６Ｂ）の夫々に第１回転体２Ａ及び第２回転体２Ｂが回転自在に取り付けられている。
【００１７】
本体部１は、図１に示すように、正面視において、第１凸部３の左傾斜面３Ｂに連続した左側面部が右方向に凹んで湾曲している。左側面部は、図１及び図４に示すように、突出部２０Ａと周縁部２０Ｂとから形成されている。突出部は、左側面部の厚さ方向の中央部であり、外方向に突出して上下方向に延びている。周縁部２０Ｂは、突出部２０Ａの厚さ方向の両側に連続して上下方向に延びており、突出部２０Ａの下端部に連続している。左側面部の突出部２０Ａ及び周縁部２０Ｂは、厚さ方向において、外方向に突出した湾曲面で形成されている。
【００１８】
本体部１は、図１に示すように、正面視において、第２凸部４の右端部に連続した右側面部が右方向に突出して湾曲している。この右側面部は、正面視において、外縁が左側面部の外縁よりも大きい曲率で湾曲している。本体部１は、正面視において、下方に向けて徐々に左右幅が狭くなり、右側面部の下端部と左側面部の下端部とが連結されている。つまり、本体部１の下端部は、正面視において、左下方に向けて丸く尖った形状になっている。右側面部は、図２に示すように、厚さ方向において、右方向に突出した湾曲面で形成されている。
【００１９】
このような外形である本体部１は、図９に示すように、第１シェル１０、第２シェル２０、第３シェル３０、コア部４０、及び電源ユニット５０を具備した電流供給部を備えている。本体部１は、第１シェル１０、第２シェル２０、第３シェル３０及びソーラーカバー６０のレンズ部６０Ａによって外殻が形成されている。第１シェル１０、第２シェル２０、第３シェル３０及びソーラーカバー６０のレンズ部６０Ａは美容器の外縁部を構成している。
【００２０】
第１シェル１０は本体部１の上端部の外殻を形成している。詳しくは、第１シェル１０は、図５に示すように、第１凸部３の左端部を除いた部分、第２凸部４、及び第１凹部５の外殻を形成している。このため、第１シェル１０は、本体部１の第１凸部３の左傾斜面から突出する２本の回転軸６Ａ，６Ｂの内、右側（第１凸部３の上端側）で突出する第１回転軸６Ａを挿通する開口形状が円形の第１挿通孔１０Ａが形成されている。また、第１シェル１０は、左側端部に半円状の切欠きが形成されている。この切欠きは、第２シェル２０に形成された後述する半円状の切欠きに合わせられ、本体部１の第１凸部３の左傾斜面３Ｂから突出する２本の回転軸６Ａ，６Ｂの内、左側で突出する第２回転軸６Ｂを挿通する第２挿通孔１０Ｂを形成する。第２挿通孔１０Ｂも開口形状が円形である。
【００２１】
また、第１シェル１０は、図５，図９及び図１３に示すように、内面に連続して突出した一対の端子（第１端子１１、第２端子１２）が設けられている。第１端子１１と第２端子１２とは、平板状であり、第１シェル１０の内面側の基端部１３が連結されている。第１端子１１及び第２端子１２の先端部は、第１シェル１０の内面から突出する方向に長く延びた平板長方形状であり、厚さ方向に貫通した螺子用挿通孔１１Ａ，１２Ａが形成されている。各螺子用挿通孔１１Ａ，１２Ａは、第１端子１１及び第２端子１２を後述するコア部４０の第１挿入孔４０Ａ及び第２挿入孔４０Ｂに挿入した状態でコア部４０にねじ込まれる螺子Ｓ１の軸部が挿通し、第１シェル１０がコア部４０に固定される（図７及び図９参照）。第１シェル１０は、樹脂製であり、全面に導電性めっき膜が形成されている。この第１シェル１０の外面は肌に当接する当接部を構成している。
【００２２】
第２シェル２０は、図１，図４及び図５に示すように、本体部１の上端部の第１凸部３の左端部と左側面部の外殻を形成している。第２シェル２０は、図５に示すように、上端部に半円状の切欠きが形成されている。この切欠きは、上述したように、第１シェル１０に形成された半円状の切欠きに合わせられ、第２回転軸６Ｂを挿通する第２挿通孔１０Ｂを形成する。
【００２３】
また、第２シェル２０は、図５，図９及び図１３に示すように、内面に連続して突出した一対の端子（第３端子２１、第４端子２２）が上下方向に離れて設けられている。第３端子２１及び第４端子２２は、第２シェル２０の内面から突出する方向に長く延びた平板長方形状であり、厚さ方向に貫通した螺子用挿通孔２１Ａ，２２Ａが形成されている。各螺子用挿通孔２１Ａ，２２Ａは、第３端子２１及び第４端子２２を後述するコア部４０の第３挿入孔４０Ｃ及び第４挿入孔４０Ｄに挿入した状態でコア部４０にねじ込まれる螺子Ｓ１の軸部が挿通し、第２シェル２０がコア部４０に固定される（図８及び図９参照）。第２シェル２０は、樹脂製であり、全面に導電性めっき膜が形成されている。この第２シェル２０は肌に当接する当接部を構成している。
【００２４】
第３シェル３０は、図１及び図９に示すように、第１シェル１０より下側であり第２シェル２０より右側に取付けられる。この第３シェル３０は、本体部１の正面側及び背面側の中央部、及び右側面部の下側の外殻を形成している。第３シェル３０は、図５及び図６に示すように、対向する内面の夫々に上下方向に平行に延びた２本のリブ３１が設けられている。各リブ３１は、上部において第３シェル３０の内面から突出する高さが低い第１リブ３１Ａと、第１リブ３１Ａの下端から第３シェル３０の下端部まで延び、第１リブ３１Ａよりも内面から突出する高さが高い第２リブ３１Ｂとを有している。第２リブ３１Ｂは上端に第１リブ３１Ａとの間に間隔を設けて上方に延びる係止部３２を有している。また、第３シェル３０は本体部１の第１凸部３の下方に位置する対向する内面の夫々に右下方向に傾斜して延びる１本の係止凸部３３が設けられている。第３シェル３０は、樹脂製であり、表面に非導電性塗装膜が形成されている。第３シェル３０は美容器を使用する際に使用者が把持する把持部である。
ソーラーカバー６０は、図１に示すように、後述するレンズ部６０Ａが本体部１の右側面部の上側の外殻を形成している。レンズ部６０Ａは透光性を有する樹脂製である。
【００２５】
各回転体２Ａ，２Ｂは、図１〜図５に示すように、先端側が半球状であり、後端側（本体側）が先端側の半球状部分の曲率よりも小さい曲面で本体部１側に向かうにつれて回転軸６Ａ，６Ｂ側に徐々に外径が小さくなり、本体部１側の端部に円形状の開口が形成されている。各回転体２Ａ，２Ｂは開口に連通して回転軸６Ａ，６Ｂなどを収納する収納空間が内部に形成されている。各回転体２Ａ，２Ｂの表面は多数の三角形状の平面から構成されている。また、各回転体２Ａ，２Ｂは、樹脂製であり、全面に導電性めっき膜が形成されている。各回転体２Ａ，２Ｂは肌に当接する当接部を構成している。
【００２６】
コア部４０は、図９及び図１３に示すように、本体部１の内側に位置し、第１シェル１０、第２シェル２０、第３シェル３０、電源ユニット５０、及び２個の回転体（第１回転体２Ａ、第２回転体２Ｂ）の夫々を軸支する２本の回転軸（第１回転軸６Ａ、第２回転軸６Ｂ）が取り付けられる。コア部４０は、電源ユニット５０及び各回転軸６Ａ，６Ｂを取り付ける部分を除いて、本体部１の外形に略相似形状である。
また、コア部４０は電源ユニット５０と各当接部（第１シェル１０、第２シェル２０、及び各回転体）との間を電気的に連通する導電通路を内蔵している。電源ユニット５０と導電通路とから電流供給部が構成されている。
【００２７】
コア部４０は、図５，図９及び図１０に示すように、両外側面の夫々に上下方向に平行に延びる２本の溝部４３が形成されている。これら溝部４３は上端部に第３シェル３０の夫々の内面に設けられた２本の各リブ３１の上端に設けられた係止部３２が係止する被係止部４３Ａを有している（図１６参照）。これら溝部４３は下端部が下方に開口している。これら溝部４３は、コア部４０の下方から第３シェル３０をスライドさせて第３シェル３０をコア部４０に取り付ける際、各溝部４３の下端部から第３シェル３０の各リブ３１が挿入される。各リブ３１が各溝部４３に収納されると、図１６に示すように、各リブ３１の上端部の係止部３２が各溝部４３の被係止部４３Ａに係止するため、第３シェル３０の上端部が外方向に離れる方向に開くことが防止される。また、コア部４０は、第３シェル３０が取付けられた際に第３シェル３０の係止凸部３３が係止する被係止凸部４４が両外側面の夫々に設けられている。
【００２８】
コア部４０は、図９に示すように、厚さ方向に２分割されており、第１コア部４１と第２コア部４２とから構成されている。コア部４０の厚さ方向において第２コア部４２よりも第１コア部４１の方が厚く形成されている。第１コア部４１と第２コア部４２とは２枚の両面テープＴ１と７個の螺子Ｓ１によって内側面同士が向き合うように当接した状態で一体化される。第１コア部４１と第２コア部４２とが一体化されたコア部４０は、図７及び図８に示すように、第１シェル１０の第１端子１１及び第２端子１２が挿入される第１挿入孔４０Ａ及び第２挿入孔４０Ｂが上端部に形成され、第２シェル２０の第３端子２１及び第４端子２２が挿入される第３挿入孔４０Ｃ及び第４挿入孔４０Ｄが左側部に形成されている。
【００２９】
第１コア部４１は、図９及び図１０に示すように、本体部１の第１凸部３の内側に位置する部位の２か所に第１回転軸６Ａのシャフト及び第２回転軸６Ｂのシャフトが挿通して各回転軸６Ａ，６Ｂが取り付けられる筒状の第１回転軸取付部４１Ａ及び第２回転軸取付部４１Ｂを有している。第１コア部４１は、第２コア部４２と一体化されると第１〜第４挿入孔４０Ａ，４０Ｂ，４０Ｃ，４０Ｄを構成する溝部４５Ａ，４５Ｂ，４５Ｃ，４５Ｄが内側面に形成されている。第１コア部４１は後述する第３導電板７３の屈曲部が嵌まり込む凹部４６が内側面に形成されている。第１コア部４１は螺子Ｓ１がねじ込まれる７個のねじ孔Ｈ１が内側面の所定の位置に形成されている。第１コア部４１は内側面の所定の位置から５個の円柱状の凸部Ｃ１が突出している。
【００３０】
第２コア部４２は、図１１に示すように、第１コア部４１に設けられた第１回転軸取付部４１Ａ及び第２回転軸取付部４１Ｂの下部側を収納する凹部４２Ａ，４２Ｂが形成されている。第２コア部４２は、第１コア部４１と一体化されると第２〜第４挿入孔４０Ｂ，４０Ｃ，４０Ｄを構成する溝部４７Ｂ，４７Ｃ，４７Ｄが内側面に形成されている。第２コア部４２は後述する第１〜４導電板７１，７２，７３，７４が嵌まり込む凹部４８Ａ，４８Ｂ，４８Ｃ，４８Ｄが内側面に形成されている。第２コア部４２は、図９及び図１１に示すように、第１コア部４１の７個のねじ孔Ｈ１に対応して、外面側に螺子Ｓ１の頭部が収納される収納空間に連通し、螺子Ｓ１の軸部が挿通する挿通孔Ｈ２が所定の位置に形成されている。第２コア部４２は、図１１に示すように、第１コア部４１の内側面から突出した５個の凸部Ｃ１に対応して、これら凸部Ｃ１の先端部が挿入される凹部Ｄ１が形成されている。
【００３１】
電源ユニット５０は、図９及び図１２に示すように、ソーラーカバー６０、第１両面テープ６１、太陽電池パネル６２、プラス側端子６３Ａ、マイナス側端子６３Ｂ、第２両面テープ６４、ホルダ６５、及び２個の通電用螺子６６Ａ，６６Ｂを有している。
ソーラーカバー６０は、レンズ部６０Ａ、レンズ部６０Ａの上端から上方向に延びる第１連結部６０Ｂ、及びレンズ部６０Ａの下端から下方向に延びる第２連結部６０Ｃを具備している。レンズ部６０Ａは本体部１の右側面部の上側を構成している。レンズ部６０Ａは、図１７に示すように、奥行き方向（図１７において上下方向）で右方向に突出した凸レンズ状であるため、集光性を高めて太陽電池パネル６２の起電力を増加している。第１連結部６０Ｂ及び第２連結部６０Ｃは、図９及び図１２に示すように、螺子Ｓ２の軸部を挿通する挿通孔が形成されている。
【００３２】
第１両面テープ６１は、上下方向（図９において左右方向）に長い帯状であり、中央に上下方向に長く、上下端が円弧状の中央開口が形成されている。第１両面テープ６１は、外側面（図９において上面）がソーラーカバー６０のレンズ部６０Ａの内側面（図９において下面）に貼り付けられ、内側面がホルダ６５の収納凹部６５Ａの外周縁部に貼り付けられる。このように、ソーラーカバー６０は第１両面テープ６１によってホルダ６５に固定されるとともに、第１両面テープ６１によって外部から太陽電池パネル６２側に液体が侵入することを防止している。
【００３３】
太陽電池パネル６２は表裏面が上下方向に長い長方形状の平板である。太陽電池パネル６２は、上端部（図９において左側端部）がプラス電極であり、下端部（図９において右側端部）がマイナス電極である。プラス側端子６３Ａは太陽電池パネル６２のプラス電極に接続され、マイナス側端子６３Ｂはマイナス電極に接続される。プラス側端子６３Ａ及びマイナス側端子６３Ｂは同じ形状である。プラス側端子６３Ａ及びマイナス側端子６３Ｂは、一枚の金属板を折り曲げて形成されている。これら端子は、図９及び図１２に示すように、第１〜第４片部を有している。第１片部は太陽電池パネル６２の上下端面のいずれかに当接する。第２片部は第１片部に直交する方向に折り曲げられて太陽電池パネル６２の背面に当接する。第３片部は第２片部に直交する方向に折り曲げられて第１片部と反対方向に延びている。第４片部は第３片部に直交する方向に折り曲げられて第２片部と隙間を有して延びている。第４片部は後述する第１導電板７１又は第４導電板７４をホルダ６５に取り付ける通電用螺子６６Ａ，６６Ｂの軸部の先端面から突出した凸部が挿通する挿通孔が形成されている。
【００３４】
第２両面テープ６４は、図９に示すように、太陽電池パネル６２と略同じ幅であり、太陽電池パネル６２よりも短い帯状である。第２両面テープ６４は、外側面（図９において上面）が太陽電池パネル６２の裏面（図９において下面）に貼り付けられ、内側面がホルダ６５の太陽電池パネル６２が収納される収納凹部６５Ａの底面に貼り付けられる。このように、太陽電池パネル６２は第２両面テープ６４によってホルダ６５に固定される。
【００３５】
ホルダ６５は、図９及び図１２に示すように、本体部６５Ｂ、第１連結部６５Ｃ，第２連結部６５Ｄ、第１連結片６５Ｅ、第２連結片６５Ｆを有している。本体部６５Ｂは外形が略四角柱形状である。第１連結部６５Ｃは本体部６５Ｂの上端から上方向に延びている。第２連結部６５Ｄは本体部６５Ｂの下端から下方に延びている。第１連結片６５Ｅは本体部６５Ｂの中央部の裏面から突出している。第２連結片６５Ｆへ本体部６５Ｂの下端部の裏面から第２連結部６５Ｄの裏面にかけて突出している。
【００３６】
本体部６５Ｂは表面に太陽電池パネル６２を収納する収納凹部６５Ａが形成されている。収納凹部６５Ａは、上端部にプラス側端子６３Ａを収納する上側凹部６５Ｇが形成され、下端部にマイナス側端子６３Ｂを収納する下側凹部６５Ｈが形成されている。上側凹部６５Ｇ及び下側凹部６５Ｈは、図１２に示すように、左右方向に貫通する螺子孔が形成されている。収納凹部６５Ａに収納された太陽電池パネル６２の表面とホルダ６５の収納凹部６５Ａの外周縁部とは略面一になる。
【００３７】
ホルダ６５の第１連結部６５Ｃ及び第２連結部６５Ｄは、ソーラーカバー６０の第１連結部６０Ｂ及び第２連結部６０Ｃに形成された挿通孔に対応させて螺子孔が形成されている。ソーラーカバー６０の第１連結部６０Ｂ及び第２連結部６０Ｃに形成された挿通孔を軸部が挿通する螺子Ｓ２をホルダ６５の第１連結部６５Ｃ及び第２連結部６５Ｄに形成された螺子孔にねじ込むことによっても、ソーラーカバー６０は本体部６５Ｂに固定されている。
【００３８】
第１連結片６５Ｅ及び第２連結片６５Ｆの夫々は、奥行き方向に貫通した凸部用挿通孔Ｈ３と螺子用挿通孔Ｈ４が形成されている。凸部用挿通孔Ｈ３は第１コア部４１の内側面から突出する凸部Ｃ１を挿通する。螺子用挿通孔Ｈ４は第２コア部４２を挿通して第１コア部４１にねじ込まれる螺子Ｓ１の軸部が挿通する。
【００３９】
導電通路は、図９，及び図１２〜図１４に示すように、２個の通電用螺子６６Ａ，６６Ｂ、第１〜第４導電板７１，７２，７３，７４、第１シェル１０の第１端子１１及び第２端子１２、第２シェル２０の第３端子２１及び第４端子２２、第１回転軸６Ａ及び第２回転軸６Ｂによって構成されている。
通電用螺子６６Ａ，６６Ｂは、金属製であり、軸部の先端面から突出した凸部を有している。凸部の径は軸部の径よりも小さい。通電用螺子６６Ａは、第１導電板７１をホルダ６５に取り付ける際、第１導電板７１に形成された挿通孔を挿通し、ホルダ６５の上側凹部６５Ｇ（図１２参照）に形成された螺子孔にねじ込まれる。また、通電用螺子６６Ｂは、第４導電板７４をホルダ６５に取り付ける際、第４導電板７４に形成された挿通孔を挿通し、ホルダ６５の下側凹部６５Ｈ（図１２参照）の夫々に形成された螺子孔にねじ込まれる。通電用螺子６６Ａ，６６Ｂの夫々が螺子孔にねじ込まれると、図１２に示すように、ホルダ６５の上側凹部６５Ｇ及び下側凹部６５Ｈ内に通電用螺子６６Ａ，６６Ｂの先端面から突出した凸部が露出し、前述したように、プラス側端子６３Ａ及びマイナス側端子６３Ｂの第４片部に形成された挿通孔に凸部が挿通し、通電用螺子６６Ａ，６６Ｂの軸部の先端面と第４片部とが接触する。このため、プラス側端子６３Ａと通電用螺子６６Ａ、及びマイナス側端子６３Ｂと通電用螺子６６Ｂは電気的に連結された状態になる。
【００４０】
第１導電板７１は、図９，図１２及び図１３に示すように、一枚の金属板を折り曲げて形成されている。第１導電板７１は第１片部７１Ａと第２片部７１Ｂとを有している。第１片部７１Ａは通電用螺子６６Ａの軸部が挿通する挿通孔が形成されている。第１導電板７１は、第１片部７１Ａの挿通孔に軸部を挿通した通電用螺子６６Ａを電源ユニット５０のホルダ６５の上側凹部６５Ｇに形成された螺子孔にねじ込むことによって、通電用螺子６６Ａの頭部と第１片部７１Ａとが接触する。このため、通電用螺子６６Ａと第１導電板７１は電気的に連結された状態になる。第２片部７１Ｂは第１片部７１Ａに直交する方向に折り曲げられて第１コア部４１と第２コア部４２との間に挟まれる。つまり、第１導電板７１は第２片部７１Ｂの左側がコア部４０に形成された第１挿入孔４０Ａの奥側に位置してコア部４０に内蔵される。第２片部７１Ｂの左側と第１コア部４１に設けられた溝部４５Ａの内側面との間には第１シェル１０の第１端子１１が挿入される隙間が形成されている。第２片部７１Ｂは第１挿入孔４０Ａの奥側に位置する左側に螺子用挿通孔Ｈ５が形成されている。この螺子用挿通孔Ｈ５は第２コア部４２を挿通して第１コア部４１にねじ込まれる螺子Ｓ１の軸部が挿通する。
【００４１】
第２導電板７２は一枚の金属板を折り曲げて形成されている。第２導電板７２は左右方向に延びて第１コア部４１と第２コア部４２との間に挟まれる。つまり、第２導電板７２はコア部４０に内蔵される。第２導電板７２は右端部がコア部４０に形成された第２挿入孔４０Ｂの奥側に位置している。第２導電板７２の右端部と第１コア部４１に設けられた溝部４５Ｂの内側面との間には第１シェル１０の第２端子１２が挿入される隙間が形成されている。第２導電板７２は、第２挿入孔４０Ｂの奥側に位置する右端部に螺子用挿通孔Ｈ５が形成されている。この螺子用挿通孔Ｈ５は第２コア部４２を挿通して第１コア部４１にねじ込まれる螺子Ｓ１の軸部が挿通する。第２導電板７２は螺子用挿通孔Ｈ５よりも左側に第１コア部４１の内側面から突出する凸部Ｃ１を挿通する凸部用挿通孔Ｈ６が形成されている。第２導電板７２は左端部に半円弧状に湾曲した連結部７２Ａを有している。この連結部７２Ａは第１コア部４１の第２回転軸取付部４１Ｂに挿通した第２回転軸６Ｂのシャフト８１の基端部の外周面に接触する。このため、第２導電板７２と第２回転軸取付部４１Ｂに挿通された第２回転軸６Ｂのシャフト８１とは電気的に連結された状態になる。
【００４２】
第３導電板７３は一枚の金属板を折り曲げて形成されている。第３導電板７３は、上部に半円弧状に湾曲した連結部７３Ａ、第１コア部４１の内側面に形成された凹部に嵌り込む屈曲部７３Ｂを有した中間部、及び第３挿入孔４０Ｃの奥側に位置する下端部７３Ｃを有している。第３導電板７３は第１コア部４１と第２コア部４２との間に挟まれる。つまり、第３導電板７３はコア部４０に内蔵される。連結部７３Ａは第１コア部４１の第１回転軸取付部４１Ａに挿通した第１回転軸６Ａのシャフト８１の基端部の外周面に接触する。このため、第３導電板７３と第１回転軸取付部４１Ａに挿通された第１回転軸６Ａのシャフト８１とは電気的に連結された状態になる。第３導電板７３は、図１５に示すように、中間部の屈曲部７３Ｂが第１コア部４１の内側面に形成された凹部４６に嵌り込む。また、凹部４６は、屈曲部７３Ｂを嵌め込んだ状態で、屈曲部７３Ｂとの間に空間Ｓを有する深さに形成されている。この空間Ｓは、第３導電板７３に応力がかかり、仮にその応力によって第３導電板７３が曲がったとしても、凹部４６と屈曲部７３Ｂとが当接して屈曲部７３Ｂが第１コア部４１から浮き上がることを防止し、第３導電板７３が第２導電板７２に接触しようとする動きを抑制する。このため、図１２に示す正面視において第２導電板７２と交差しても第２導電板７２とは接触しない。つまり、第３導電板７３と第２導電板７２とは電気的に連結していない。図１３に示すように、第３導電板７３の下端部と第１コア部４１に設けられた溝部４５Ｃの内側面との間には、第２シェル２０の第３端子２１が挿入される隙間が形成されている。第３導電板７３は、図１２及び図１３に示すように、第３挿入孔４０Ｃの奥側に位置する下端部に螺子用挿通孔Ｈ５が形成されている。この螺子用挿通孔Ｈ５は第２コア部４２を挿通して第１コア部４１にねじ込まれる螺子Ｓ１の軸部が挿通する。また、第３導電板７３は、螺子用挿通孔Ｈ５よりも上側であり、屈曲部７３Ｂより下側の中間部に第１コア部４１の内側面から突出する凸部Ｃ１を挿通する凸部用挿通孔Ｈ６が形成されている。
【００４３】
第４導電板７４は、図９，図１２及び図１３に示すように、一枚の金属板を折り曲げて形成されている。第４導電板７４は第１〜第４片部７４Ａ，７４Ｂ，７４Ｃ，７４Ｄを有している。第１片部７４Ａは通電用螺子６６Ｂの軸部が挿通する挿通孔が形成されている。第４導電板７４は、第１片部７４Ａの挿通孔に軸部を挿通した通電用螺子６６Ｂを電源ユニット５０のホルダ６５の下側凹部６５Ｈに形成された螺子孔にねじ込むことによって、通電用螺子６６Ｂの頭部と第１片部７４Ａとが接触する。このため、通電用螺子６６Ｂと第４導電板７４は電気的に連結された状態になる。第２片部７４Ｂは第１片部７４Ａに直交する方向に折り曲げられてホルダ６５の第２連結部６５Ｄより上側を左右方向に延びている。第３片部７４Ｃは第２片部７４Ｂに直交する方向に折り曲げられてホルダ６５の第２連結部６５Ｄより左側であり、コア部４０の右側を上下方向に延びている。第４片部７４Ｄは第３片部７４Ｃに直交する方向に折り曲げられて第１コア部４１の内側面に沿って左右方向に延びている。第４片部７４Ｄの先端部はコア部４０に形成された第４挿入孔４０Ｄの奥側に位置している。第４片部７４Ｄの先端部と第１コア部４１に設けられた溝部４５Ｄの内側面との間には第２シェル２０の第４端子２２が挿入される隙間が形成されている。第４片部７４Ｄは第４挿入孔４０Ｄの奥側に位置する先端部に螺子用挿通孔Ｈ５が形成されている。この螺子用挿通孔Ｈ５は第２コア部４２を挿通して第１コア部４１にねじ込まれる螺子Ｓ１の軸部が挿通する。第４導電板７４は螺子用挿通孔Ｈ５よりも右側に第１コア部４１の内側面から突出する凸部Ｃ１を挿通する凸部用挿通孔Ｈ６が形成されている。
【００４４】
コア部４０に取り付けられる第１回転軸６Ａ及び第２回転軸６Ｂの夫々は、図９及び図１４に示すように、シャフト８１、ベアリングホルダ８２、ベアリングホルダ８２の両端部に配置される一対のベアリング８３、及びシャフト８１の先端部に取り付けられ、ベアリング８３及びベアリングホルダ８２のシャフト８１からの抜け止めをするＣリング８４から構成されている。シャフト８１は金属製である。また、シャフト８１は、中間部に鍔部が形成され、鍔部よりも先端側がベアリング８３を内蔵したベアリングホルダ８２を回転自在に軸支している。ベアリングホルダ８２は導電性を有する樹脂製である。このため、シャフト８１とベアリングホルダ８２は電気的に連結された状態になる。
【００４５】
第１回転軸６Ａ及び第２回転軸６Ｂの夫々に取り付けられる第１回転体２Ａ及び第２回転体２Ｂは、図９及び図１４に示すように、外殻を形成する回転体本体９１、回転体本体９１内に収納される第１コア９２及び第２コア９３とから構成されている。回転体本体９１は全面に導電性めっき膜が形成されている。第１コア９２及び第２コア９３も全面に導電性めっき膜が形成されている。各回転体２Ａ，２Ｂは、第１回転軸６Ａ及び第２回転軸６Ｂの夫々のベアリングホルダ８２の外周面に突出した爪部が第２コア９３に係止して、抜け止め状態となり、各シャフト８１に対して回転自在に取り付けられる。
【００４６】
電源ユニット５０が取り付けられ、第１〜第４導電板７１，７２，７３，７４を内蔵したコア部４０に、第１シェル１０、第２シェル２０、第１回転体２Ａ及び第２回転体２Ｂが取り付けられる。詳しくは、コア部４０の第１挿入孔４０Ａ及び第２挿入孔４０Ｂの夫々に第１シェル１０の第１端子１１及び第２端子１２の夫々を挿入し、コア部４０の第３挿入孔４０Ｃ及び第４挿入孔４０Ｄの夫々に第２シェル２０の第３端子２１及び第４端子２２の夫々を挿入して、第１シェル１０と第２シェル２０をコア部４０に取り付けた後に各回転体２Ａ，２Ｂの夫々の開口から第１回転軸６Ａ及び第２回転軸６Ｂを挿入して各回転体２Ａ，２Ｂを各回転軸６Ａ，６Ｂに取付ける。
【００４７】
このようにコア部４０に第１シェル１０、第２シェル２０、及び各回転体２Ａ，２Ｂを取り付けると、図１３及び図１４に示すように、第１導電板７１の第２片部７１Ｂの左側と第１コア部４１に設けられた第１挿入孔４０Ａを構成する溝部４５Ａの内側面との間の隙間に第１シェル１０の第１端子１１が挿入される。また、第２導電板７２の右端部と第１コア部４１に設けられた第２挿入孔４０Ｂを構成する溝部４５Ｂの内側面との間の隙間に第１シェル１０の第２端子１２が挿入される。この状態で、第１導電板７１の第２片部７１Ｂの左側に形成された螺子用挿通孔Ｈ５と第１シェル１０の第１端子１１に形成された螺子用挿通孔Ｈ５とが重なり、第２導電板７２の右端部に形成された螺子用挿通孔Ｈ５と第１シェル１０の第２端子１２に形成された螺子用挿通孔Ｈ５とが重なり合う。第２コア部４２を挿通して第１コア部４１にねじ込まれる螺子Ｓ１の軸部がこれら重なり合った夫々の螺子用挿通孔Ｈ５を挿通し、第１シェル１０がコア部４０に固定されるとともに、第１導電板７１、第１シェル１０、第２導電板７２、第２回転軸６Ｂ、及び第２回転体２Ｂは、電気的に連結された状態になる。つまり、第１導電板７１が通電用螺子６６Ａ及びプラス側端子６３Ａを介して太陽電池パネル６２のプラス電極に電気的に連結しているため、第１シェル１０及び第２回転体２Ｂは太陽電池パネル６２のプラス電極に電気的に連結している。
【００４８】
また、第３導電板７３の下端部と第１コア部４１に設けられた第３挿入孔４０Ｃを構成する溝部４５Ｃの内側面との間の隙間に第２シェル２０の第３端子２１が挿入される。また、第４導電板７４の第４片部の先端部と第１コア部４１に設けられた第４挿入孔４０Ｄを構成する溝部４５Ｄの内側面との間の隙間に第２シェル２０の第４端子２２が挿入される。この状態で、第３導電板７３の下端部に形成された螺子用挿通孔Ｈ５と第２シェル２０の第３端子２１に形成された螺子用挿通孔Ｈ５とが重なり、第４導電板７４の第４片部の先端部に形成された螺子用挿通孔Ｈ５と第２シェル２０の第４端子２２に形成された螺子用挿通孔Ｈ５が重なり合う。第２コア部４２を挿通して第１コア部４１にねじ込まれる螺子Ｓ１の軸部がこれら重なり合った夫々の螺子用挿通孔Ｈ５を挿通し、第２シェル２０がコア部４０に固定されるとともに、第１回転体２Ａ、第１回転軸６Ａ、第３導電板７３、第２シェル２０、及び第４導電板７４は、電気的に連結された状態になる。つまり、第４導電板７４が通電用螺子６６Ｂ及びマイナス側端子６３Ｂを介して太陽電池パネル６２のマイナス電極に電気的に連結しているため、第２シェル２０及び第１回転体２Ａは太陽電池パネル６２のマイナス電極に電気的に連結している。
【００４９】
以上説明したように、この美容器は、図１２〜図１４に示すように、太陽電池パネル６２のプラス電極、プラス側端子６３Ａ、通電用螺子６６Ａ、第１導電板７１、第１端子１１、基端部１３、第１シェル１０、第２端子１２、第２導電板７２、第２回転軸６Ｂ、及び第２回転体２Ｂが電気的に連結されている。また、この美容器は、太陽電池パネル６２のマイナス電極、マイナス側端子６３Ｂ、通電用螺子６６Ｂ、第４導電板７４、第４端子２２、第２シェル２０、第３端子２１、第３導電板７３、第１回転軸６Ａ、及び第１回転体２Ａが電気的に連結されている。
【００５０】
この美容器は、コア部４０に第１シェル１０、第２シェル２０、第１回転体２Ａ及び第２回転体２Ｂが取り付けた後に、コア部４０の下方から第３シェル３０をスライドさせて第３シェル３０をコア部４０に取り付ける。この際、第３シェル３０の各リブ３１をコア部４０の各溝部４３の下端部から挿入させて、各リブ３１を各溝部４３に収納すると、図１６に示すように、各リブ３１の上端部の係止部３２が各溝部４３の被係止部４３Ａに係止するため、第３シェル３０の上端部が外方向に離れる方向に開くことが防止される。また、第３シェル３０の対向する内面の夫々に設けられた係止凸部３３がコア部４０の両外側面の夫々に設けられた被係止凸部４４に係止して固定される。
【００５１】
このような構成を有する美容器は、第３シェル３０が使用者の把持する把持部を構成し、第１シェル１０、第２シェル２０、及び各回転体２Ａ，２Ｂが肌に当接する当接部を構成する。
【００５２】
この美容器は以下に説明するように使用することができる。
図１８及び図１９に示すように、第３シェル３０を把持して第１シェル１０の外縁部をあご先に当接させ、第１回転体２Ａを口元に当接させた状態からフェイスラインに沿って往復移動させる。すると、第１シェル１０が肌を擦るように移動して肌を引き上げたり、押し流したりするマッサージ効果を発揮する。つまり、第１シェル１０がエステの技法でいうフリクション（すくい上げる）とニーディングを再現し、肌にぐいっと入り込み、広く深く圧をかけながら肌を引き上げることができる。また、第１回転体２Ａが肌の薄い口元に負担をかけずにマッサージをすることができる。
さらに、上述したように、第１シェル１０が、基端部１３、第１端子１１、第１導電板７１、通電用螺子６６Ａ、及びプラス側端子６３Ａを介して太陽電池パネル６２のプラス電極に電気的に連結し、第１回転体２Ａが、第１回転軸６Ａ、第３導電板７３、第３端子２１、第２シェル２０、第４端子２２、第４導電板７４、通電用螺子６６Ｂ、及びマイナス側端子６３Ｂを介して太陽電池パネル６２のマイナス電極に電気的に連結している。このため、第１シェル１０と第１回転体２Ａとの間において肌に電流が流れて電気的刺激による美容効果も発揮することができる。
なお、図１８において、第３シェル３０を濃い灰色で示し、第１シェル１０、第２シェル２０、第１回転体２Ａ及び第２回転体２Ｂを薄い灰色で示している（図２０、図２２、図２４、図２５において同じ。）。
【００５３】
また、図２０及び図２１に示すように、第３シェル３０を把持して第２シェル２０の外縁部を頬に当接させて、第２回転体２Ｂを目元に当接させた状態で口角横から耳の前までを往復移動させる。すると、第２シェル２０が肌を擦るように移動して肌を引き上げたり、押し流したりするマッサージ効果を発揮する。つまり、第２シェル２０がエステの技法でいうフリクション（すくい上げる）とニーディングを再現し、肌にぐいっと入り込み、広く深く圧をかけながら肌を引き上げることができる。また、第２回転体２Ｂが肌の薄い目元に負担をかけずにマッサージをすることができる。
さらに、上述したように、第２シェル２０が、第４端子２２、第４導電板７４、通電用螺子６６Ｂ、及びマイナス側端子６３Ｂを介して太陽電池パネル６２のマイナス電極に電気的に連結し、第２回転体２Ｂが、第２回転軸６Ｂ、第２導電板７２、第２端子１２、基端部１３（第１シェル１０）、第１端子１１、第１導電板７１、通電用螺子６６Ａ、及びプラス側端子６３Ａを介して太陽電池パネル６２のプラス電極に電気的に連結している。このため、第２シェル２０と第２回転体２Ｂとの間において肌に電流が流れて電気的刺激による美容効果も発揮することができる。
【００５４】
また、図２２及び図２３に示すように、第３シェル３０を把持して第１回転体２Ａと第２回転体２Ｂをあご先から耳横へ向けて肌に当接させながらフェイスラインに沿って往復移動させる。すると、第１回転体２Ａと第２回転体２Ｂとが肌を摘み上げて血流を促進するマッサージ効果を発揮する。また、上述したように、第１回転体２Ａが、第１回転軸６Ａ、第３導電板７３、第３端子２１、第２シェル２０、第４端子２２、第４導電板７４、通電用螺子６６Ｂ、及びマイナス側端子６３Ｂを介して太陽電池パネル６２のマイナス電極に電気的に連結し、第２回転体２Ｂが、第２回転軸６Ｂ、第２導電板７２、第２端子１２、基端部１３（第１シェル１０）、第１端子１１、第１導電板７１、通電用螺子６６Ａ、及びプラス側端子６３Ａを介して太陽電池パネル６２のプラス電極に電気的に連結している。このため、第１回転体２Ａと第２回転体２Ｂとの間において肌に電流が流れて電気的刺激による美容効果も発揮することができる。
【００５５】
また、図２４に示すように、第３シェル３０を把持して第２シェル２０の外縁部と第２回転体２Ｂをおでこに当接させて斜め上下方向に往復移動させる。この場合も、第２シェル２０と第２回転体２Ｂがおでこをマッサージするとともに電気的刺激による美容効果を発揮する。また、図２５に示すように、第３シェル３０を把持して第１回転体２Ａと第２回転体２Ｂを首に当接させて耳の下から鎖骨へ向かい首筋に沿って往復移動させる。この場合も、第１回転体２Ａと第２回転体２Ｂが首をマッサージするとともに電気的刺激による美容効果を発揮する。
【００５６】
このように、この美容器は、第１シェル１０と第２回転体２Ｂが太陽電池パネル６２のプラス電極に電気的に連結し、第２シェル２０と第１回転体２Ａが太陽電池パネル６２のマイナス電極に電気的に連結している。つまり、４つの当接部が並んだ順（第１シェル１０、第１回転体２Ａ、第２回転体２Ｂ、第２シェル２０）にプラスとマイナスの電位になっている。このため、第１シェル１０と第１回転体２Ａを肌に同時に当接させてマッサージをする第１マッサージパターン、第１回転体２Ａと第２回転体２Ｂを肌に同時に当接させてマッサージをする第２マッサージパターン、及び第２回転体２Ｂと第２シェル２０を肌に同時に当接させてマッサージをする第３マッサージパターンのいずれの場合も肌に電流が流れて電気的刺激による美容効果も発揮することができる。
また、各当接部（第１シェル１０、第２シェル２０、及び各回転体２Ａ，２Ｂ）を上述した第１〜第３マッサージパターンで肌に当接させてマッサージすることができるため、マッサージ効果が異なるマッサージを顔全体に対して行うことができる。
【００５７】
以上説明したように、実施例１の美容器は、使用者が把持する第３シェル３０と、肌の離れた位置に同時に当接する複数の当接部（第１シェル１０と第１回転体２Ａ、第２シェル２０と第２回転体２Ｂ、又は第１回転体２Ａと第２回転体２Ｂ）と、肌に同時に当接する複数の当接部の間において肌を流れる電流を供給する電流供給部（電源ユニット５０、導電通路（２個の通電用螺子６６Ａ，６６Ｂ、第１〜第４導電板７１，７２．７３、７４、第１シェル１０の第１端子１１及び第２端子１２、第２シェル２０の第３端子２１及び第４端子２２、第１回転軸６Ａ及び第２回転軸６Ｂ））とを備えている。また、当接部の第１シェル１０と第２シェル２０は美容器の外縁部である。
【００５８】
実施例１の美容器は、使用者が第３シェル３０を把持して、複数の当接部を肌の離れた位置に同時に当接させると、これら当接部の間において電流が肌を流れる。また、この美容器は当接部の第１シェル１０と第２シェル２０が外縁部であり、肌を擦るようにこの外縁部である第１シェル１０と第２シェル２０を移動させることによって、肌を押し流したり、引き上げたりするマッサージ効果を発揮するとともに、肌に同時に当接させた複数の当接部の間において肌に電流が流れて電気的刺激による美容効果を発揮することができる。このように、この美容器は、把持部と当接部との間において人体に電流を流すものではないため、把持部の素材やデザインの制約を少なくすることができる。
【００５９】
したがって、実施例１の美容器は、電気的刺激による美容効果を発揮することができるとともに、素材やデザインの自由度を高くすることができる。
【００６０】
実施例１の美容器において、複数の当接部の内の一部が肌に当接して移動させると回転する第１回転体２Ａ及び第２回転体２Ｂである。このため、この美容器は第１回転体２Ａ及び第２回転体２Ｂが肌に当接して回転しながら移動することによるマッサージ効果を発揮することができる。また、この美容器は第１回転体２Ａ及び第２回転体２Ｂによって肌の薄い部分に負担をかけずにマッサージをすることができる。
【００６１】
また、実施例１の美容器において、複数の当接部の内の隣り合う２個の当接部（第１シェル１０と第１回転体２Ａ、第１回転体２Ａと第２回転体２Ｂ、第２回転体２Ｂと第２シェル２０）を肌に同時に当接させて移動させる。このため、この美容器は、隣り合う２個の当接部によってマッサージ効果と電気的刺激による美容効果とを発揮することができる。
【００６２】
また、実施例１の美容器において、把持部である第３シェル３０は非導電性である。このため、導電性を有する把持部にする場合に比べて、この美容器は把持部の材質及びデザインの自由度を高くすることができる。つまり、把持部を導電性にする場合、把持部を銀メッキ等したり、導電性物質で形成したりする必要があるため、材質が限られたり、色をつけることが困難だったりするが、この美容器の把持部は非導電性であるため、材質及びデザインの自由度が高い。
【００６３】
＜実施例２＞
実施例２の美容器は、図２６〜図３０に示すように、本体部１０１と２個の回転体（第１回転体１０２Ａ、第２回転体１０２Ｂ）とから構成されている。本体部１０１は、図２６に示す正面図において、把持部１０１Ａと把持部１０１Ａの上端から二股状に分岐した分岐部１０１Ｂとを有している。両分岐部１０１Ｂの先端の夫々に回転体（第１回転体１０２Ａ及び第２回転体１０２Ｂ）が回転自在に取り付けられている。なお、実施例２の美容器の説明において上下及び左右は、図２６で示す美容器の正面視における上下及び左右である（以下同じ。）。
【００６４】
本体部１０１は、図２８に示すように、第１シェル１１０、第２シェル１２０、コア部１４０、及び電流供給部１０９を備えている。本体部１０１は、第１シェル１１０、第２シェル１２０、及びソーラーカバー１６０のレンズ部１６０Ａによって外殻が形成されている。
【００６５】
第１シェル１１０とソーラーカバー１６０のレンズ部１６０Ａは本体部１０１の表面側（図２６において示されている側）の外殻を形成している。第１シェル１１０は、上部の左右中央部に、内周形状が上下方向に長い略楕円形状であり、ソーラーカバー１６０のレンズ部１６０Ａの上端部が係止する係止段部１１０Ａを有する開口部１１０Ｂが形成されている。第２シェル１２０は本体部１０１の裏面側の外殻を形成している。第１シェル１１０と第２シェル１２０は、樹脂製であり、表面に非導電性塗装膜が形成されている。ソーラーカバー１６０のレンズ部１６０Ａは、第１シェル１１０の開口部１１０Ｂに取り付けられ、本体部１０１の表面側の一部の外殻を形成している。ソーラーカバー１６０のレンズ部１６０Ａは透光性を有する樹脂製である。
【００６６】
各回転体１０２Ａ，１０２Ｂは、図２６〜図３０に示すように、先端側が半球状であり、後端側（本体側）が先端側の半球状部分の曲率よりも小さい曲面で本体側に向かうにつれて回転軸１０６Ａ，１０６Ｂ側に徐々に外径が小さくなり、本体部１０１側の端部に円形状の開口が形成されている。各回転体１０２Ａ，１０２Ｂは開口に連通して回転軸１０６Ａ，１０６Ｂなどを収納する収納空間が内部に形成されている。各回転体１０２Ａ，１０２Ｂの表面は多数の三角形状の平面から構成されている。また、各回転体１０２Ａ，１０２Ｂは、樹脂製であり、全面に導電性めっき膜が形成されている。各回転体１０２Ａ，１０２Ｂは肌に当接する当接部を構成している。
【００６７】
コア部１４０は、第２シェル１２０の内面に沿った形状であり、全体的に表面側が開放して収納凹部を形成している。また、コア部１４０は上部に本体部１０１の分岐部１０１Ｂの内部構造となる一対の筒部１４１が設けられている。コア部１４０は電流供給部１０９、台座部材１４２、及び錘部材１４３を内蔵している。台座部材１４２は太陽電池パネル１６２がソーラーカバー１６０のレンズ部１６０Ａの直下に位置するように太陽電池パネル１６２を支持する。錘部材１４３はコア部１４０の下部に螺子Ｓ１によって固定される。
【００６８】
ソーラーカバー１６０は、図２８に示すように、レンズ部１６０Ａ、レンズ部１６０Ａの裏面側で外周方向に延びる鍔部１６０Ｂ、及び鍔部１６０Ｂの下端部から下方向に延びる連結部１６０Ｃを具備している。連結部１６０Ｃは螺子Ｓ１の軸部が挿通する挿通孔が形成されている。レンズ部１６０Ａの上端部に第１シェル１１０の開口部１１０Ｂの係止段部１１０Ａに係止する被係止部１６０Ｄを構成している。被係止部１６０Ｄは被係止部１６０Ｄ以外のレンズ部１６０Ａよりも薄肉に形成されている。
【００６９】
ソーラーカバー１６０は、レンズ部１６０Ａの上端部の被係止部１６０Ｄを第１シェル１１０の開口部１１０Ｂの係止段部１１０Ａに両面テープ１６０Ｅを介して係止し、連結部１６０Ｃの挿通孔に軸部を挿通させた螺子Ｓ１を第１シェル１１０にねじ込むことによって第１シェル１１０に取り付けられる。この際、ソーラーカバー１６０の鍔部１６０Ｂと第１シェル１１０の開口部１１０Ｂの開口周縁部との間にシールリング１６１が挟み込まれる。
【００７０】
電流供給部１０９は、図２８〜図３０に示すように、太陽電池パネル１６２と導電通路とから構成される。太陽電池パネル１６２は表裏面が上下方向に長い長方形状の平板である。太陽電池パネル１６２は、上端部がプラス電極であり、下端部がマイナス電極である。導電通路は、第１導線１７１及び第２導線１７２、第１回転軸１０６Ａ及び第２回転軸１０６Ｂによって構成されている。第１導線１７１は太陽電池パネル１６２のプラス電極に連結されている。第２導線１７２は太陽電池パネル１６２のマイナス電極に連結されている。第１導線１７１及び第２導線１７２は先端部に金属製の丸ワッシャー１７３が接続されている。
【００７１】
第１回転軸１０６Ａ及び第２回転軸１０６Ｂの夫々は、図２８及び図３０に示すように、シャフト１８１、軸受け部材１８２を有している。シャフト１８１は金属製である。また、シャフト１８１は中間部に鍔部が形成されている。シャフト１８１は基端面に螺子孔が形成されている。シャフト１８１は鍔部より基端側がコア部１４０の上部に設けられた筒部１４１に挿入される。シャフト１８１は鍔部より基端側が筒部１４１に挿入された状態で基端面の螺子孔に第１導線１７１又は第２導線１７２の先端部に接続された丸ワッシャー１７３を軸部が挿通した金属製の螺子Ｓ２がねじ込まれている。丸ワッシャー１７３の外径はコア部１４０の筒部１４１の内径よりも大きい。このため、シャフト１８１は筒部１４１から抜け出ることが防止された状態でコア部１４０の筒部１４１に取り付けられる。シャフト１８１は鍔部よりも先端側が軸受け部材１８２を回転自在に軸支している。軸受け部材１８２は導電性を有する樹脂製である。このため、シャフト１８１と軸受け部材１８２は電気的に連結された状態になる。図示しないＣリングが軸受け部材１８２を挿通したシャフト１８１の先端部に取り付けられ、軸受け部材１８２のシャフト１８１からの抜け止めされている。
【００７２】
第１回転軸１０６Ａ及び第２回転軸１０６Ｂの夫々に取り付けられる第１回転体１０２Ａ及び第２回転体１０２Ｂは、図３０に示すように、外殻を形成する回転体本体１９１、回転体本体１９１内に収納される第１コア１９２及び第２コア１９３とから構成されている。回転体本体１９１は全面に導電性めっき膜が形成されている。第１コア１９２及び第２コア１９３も全面に導電性めっき膜が形成されている。各回転体１０２Ａ，１０２Ｂは、第１回転軸１０６Ａ及び第２回転軸１０６Ｂの夫々の軸受け部材１８２の外周面に突出した爪部が第２コア１９３に係止して、抜け止め状態となり、各シャフト１８１に対して回転自在に取り付けられる。第１回転体１０２Ａは第１回転軸１０６Ａ及び第１導線１７１を介して太陽電池パネル１６２のプラス電極に電気的に連結されている。また、第２回転体１０２Ｂは第２回転軸１０６Ｂ及び第２導線１７２を介して太陽電池パネル１６２のマイナス電極に電気的に連結されている。
【００７３】
この美容器は、次に説明するように組み立てられる。
先ず、ソーラーカバー１６０を取り付けた第１シェル１１０と、電流供給部１０９、台座部材１４２、及び錘部材１４３を内蔵し、各筒部１４１に第１導線１７１又は第２導線１７２を連結した各シャフト１８１を取り付けたコア部１４０とを４本の螺子Ｓ３を利用して合体させる。次に、第２シェル１２０の後端に設けられた図示しない爪部をコア部１４０の係止部に係止し、第１シェル１１０の外殻縁と第２シェル１２０の外殻縁を合わせる。次に、コア部１４０の各筒部１４１の外周縁を覆う第１シェル１１０と第２シェル１２０の各端部にキャップ部材１５０を嵌め込んで第２シェル１２０をコア部１４０と第１シェル１１０とに取り付ける。次に、キャップ部材１５０よりも突出したシャフト１８１の先端部に軸受け部材１８２を挿入し、Ｃリングをシャフト１８１の先端に取り付けて軸受け部材１８２をシャフト１８１に対して回転自在に取り付ける。そして、各軸受け部材１８２に各回転体１０２Ａ，１０２Ｂを取り付けて組み立てを完了する。
【００７４】
このような構成を有する美容器は、第１回転体１０２Ａ及び第２回転体１０２Ｂが肌に当接する当接部を構成する。この美容器は第１回転体１０２Ａ及び第２回転体１０２Ｂを肌に当接させて往復移動させる。すると、第１回転体１０２Ａと第２回転体１０２Ｂとが肌を摘み上げて血流を促進するマッサージ効果を発揮する。また、第１回転体１０２Ａが太陽電池パネル１６２のプラス電極に電気的に連結し、第２回転体１０２Ｂが太陽電池パネル１６２のマイナス電極に電気的に連結しているため、第１回転体１０２Ａと第２回転体１０２Ｂとの間において肌に電流が流れて電気的刺激による美容効果も発揮することができる。
【００７５】
以上説明したように、実施例２の美容器は、使用者が把持する把持部１０１Ａと、肌の離れた位置に同時に当接する第１回転体１０２Ａ及び第２回転体１０２Ｂと、第１回転体１０２Ａと第２回転体１０２Ｂとの間において肌を流れる電流を供給する電流供給部１０９（太陽電池パネル１６２と導電通路（第１導線１７１及び第２導線１７２、第１回転軸１０６Ａ及び第２回転軸１０６Ｂ））とを備えている。
【００７６】
実施例２の美容器は、使用者が第１シェル１１０及び第２シェル１２０によって外殻を構成した把持部１０１Ａを把持して、第１回転体１０２Ａ及び第２回転体１０２Ｂを肌の離れた位置に同時に当接させると、第１回転体１０２Ａと第２回転体１０２Ｂとの間において電流が肌を流れる。このように、この美容器は、第１回転体１０２Ａ及び第２回転体１０２Ｂを肌に同時に当接させながら移動することによってマッサージ効果を発揮するとともに、第１回転体１０２Ａと第２回転体１０２Ｂとの間において肌に電流が流れて電気的刺激による美容効果を発揮することができる。このようにこの美容器は、把持部１０１Ａと第１回転体１０２Ａ及び第２回転体１０２Ｂとの間において人体に電流を流すものではないため、把持部１０１Ａの素材やデザインの制約を少なくすることができる。
【００７７】
したがって、実施例２の美容器は、電気的刺激による美容効果を発揮することができるとともに、素材やデザインの自由度を高くすることができる。
【００７８】
当接部は肌に当接して移動させると回転する第１回転体１０２Ａ及び第２回転体１０２Ｂであり、第１回転体１０２Ａと第２回転体１０２Ｂとは隣り合って配置されている。このため、この美容器は第１回転体１０２Ａ及び第２回転体１０２Ｂが肌に当接して回転しながら移動することによって肌を摘み上げて血流を促進するマッサージ効果を発揮することができる。
【００７９】
＜実施例３＞
実施例３の美容器は、図３１に示すように、回転体を備えておらず、図３１に示す正面視において、実施例１の美容器の本体部の第１凸部に相当する部分が角部を有しておらず滑らかに湾曲している点を除いて実施例１１の美容器の本体部と略同じ外形状をしている。
【００８０】
つまり、この美容器は、正面視において、上端部が第１凸部２０３、第２凸部２０４、及び第１凸部２０３と第２凸部２０４の間に位置する第１凹部２０５で形成されている。なお、実施例３の美容器の説明において上下及び左右は、図３１で示す美容器の正面視における上下及び左右である（以下、同じ。）。
【００８１】
第１凸部２０３は、正面視において、上端部の左側で上方に突出しており、外縁が略同じ曲率で湾曲している。第２凸部２０４は、正面視において、上端部の右側で上方に突出しており、外縁が略同じ曲率であり、第１凸部２０３の外縁よりも大きい曲率で湾曲している。第１凹部２０５は、正面視において、下方向に凹んで湾曲している。この第１凹部２０５は、正面視において、外縁が略同じ曲率であり、第２凸部２０４の外縁よりも大きい曲率で湾曲している。
【００８２】
この美容器は、正面視において、第１凸部２０３の左端部に連続した左側面部が右方向に凹んで湾曲している。また、この美容器は、正面視において、第２凸部２０４の右端部に連続した右側面部が右方向に突出して湾曲している。また、この美容器は、正面視において、下方に向けて徐々に左右幅が狭くなり、右側面部の下端部と左側面部の下端部とが連結されている。つまり、この美容器の下端部は、正面視において、左下方に向けて丸く尖った形状になっている。
【００８３】
このような外形である美容器は、第１シェル２１０、第２シェル２２０、第３シェル２３０、第４シェル２４０、及び第５シェル２５０によって外殻が形成されている。第１シェル２１０、第２シェル２２０、第３シェル２３０、及び第４シェル２４０は美容器の外縁部を構成している。
【００８４】
第１シェル２１０は、第１凸部２０３、第１凹部２０５の左側、及び左側面部の上側の外郭を形成している。第２シェル２２０は左側面部の下側の外郭を形成している。第３シェル２３０は右側面部の下側の外郭を形成している。第４シェル２４０は第２凸部２０４、第１凹部２０５の右側、及び右側面部の上側の外郭を形成している。第１〜第４シェル２１０,２２０,２３０，２４０は、樹脂製であり、全面に導電性めっき膜が形成されている。第１〜第４シェル２１０,２２０,２３０，２４０は肌に当接する当接部を構成している。第５シェル２５０は、正面側及び背面側の中央部（第１シェル２１０、第２シェル２２０、第３シェル２３０、及び第４シェル２４０で囲まれた部分）の外郭を形成している。第５シェル２５０は、樹脂製であり、表面に非導電性塗装膜が形成されている。第５シェル２５０は美容器を使用する際に使用者が摘むようにして把持する把持部である。
【００８５】
この美容器は充電可能なバッテリーを有する電流供給部を内蔵している。電流供給部は、第１シェル２１０及び第３シェル２３０をバッテリーのプラス電極に電気的に連結し、第２シェル２２０及び第４シェル２４０をバッテリーのマイナス電極に電気的に連結している。つまり、この美容器は、第１〜第４シェル２１０,２２０,２３０，２４０をプラス電極とマイナス電極に交互に電気的に連結した状態になっている。
【００８６】
この美容器は以下に説明するように使用することができる。
この美容器は、正面側及び背面側の第５シェル２５０を摘むように把持して、図３１に示すように、第１凹部２０５を中心にして第１シェル２１０と第４シェル２４０を肌に同時に当接させて往復移動させる。すると、第１シェル２１０と第４シェル２４０が肌を擦るように移動して肌を引き上げたり、押し流したりするマッサージ効果を発揮する。また、第１シェル２１０がバッテリーのプラス電極に電気的に連結し、第４シェル２４０がバッテリーのマイナス電極に電気的に連結しているため、第１シェル２１０と第４シェル２４０との間において肌に電流が流れて電気的刺激による美容効果も発揮することができる。なお、図３１に示される一点鎖線は各当接部に当接する肌を模式的に示すものである。
【００８７】
また、この美容器は、正面側及び背面側の第５シェル２５０を摘むように把持して、左側面部の上下中央部を中心にして第１シェル２１０と第２シェル２２０を肌に同時に当接させて往復移動させる。すると、第１シェル２１０と第２シェル２２０が肌を擦るように移動して肌を引き上げたり、押し流したりするマッサージ効果を発揮する。また、第１シェル２１０がバッテリーのプラス電極に電気的に連結し、第２シェル２２０がバッテリーのマイナス電極に電気的に連結しているため、第１シェル２１０と第２シェル２２０との間において肌に電流が流れて電気的刺激による美容効果も発揮することができる。
【００８８】
また、この美容器は、正面側及び背面側の第５シェル２５０を摘むように把持して、右側面部の上下中央部を中心にして第３シェル２３０と第４シェル２４０を肌に同時に当接させて往復移動させる。すると、第３シェル２３０と第４シェル２４０が肌を擦るように移動して肌を引き上げたり、押し流したりするマッサージ効果を発揮する。また、第３シェル２３０がバッテリーのプラス電極に電気的に連結し、第４シェル２４０がバッテリーのマイナス電極に電気的に連結しているため、第３シェル２３０と第４シェル２４０との間において肌に電流が流れて電気的刺激による美容効果も発揮することができる。
【００８９】
また、この美容器は、正面側及び背面側の第５シェル２５０を摘むように把持して、図３２に示すように、第２シェル２２０と第３シェル２３０の下端部で形成された丸く尖った部分を肌に押し込む。すると、この下端部がつぼ押しのマッサージ効果を発揮する。また、第２シェル２２０がバッテリーのマイナス電極に電気的に連結し、第３シェル２３０がバッテリーのプラス電極に電気的に連結しているため、第２シェル２２０と第３シェル２３０との間において肌に電流が流れて電気的刺激による美容効果も発揮することができる。
【００９０】
このように、この美容器は、第１シェル２１０と第３シェル２３０がバッテリーのプラス電極に電気的に連結し、第２シェル２２０と第４シェル２４０がバッテリーのマイナス電極に電気的に連結している。つまり、４つの当接部が並んだ順（第１シェル２１０、第２シェル２２０、第３シェル２３０、第４シェル２４０）にプラスとマイナスの電位になっている。このため、第１シェル２１０と第２シェル２２０を肌に同時に当接させてマッサージをする第１マッサージパターン、第２シェル２２０と第３シェル２３０を肌に同時に当接させてマッサージをする第２マッサージパターン、第３シェル２３０と第４シェル２４０を同時に当接させてマッサージをする第３マッサージパターン、第４シェル２４０と第１シェル２１０を同時に当接させてマッサージをする第４マッサージパターンのいずれの場合も肌に電流が流れて電気的刺激による美容効果も発揮することができる。
また、各当接部（第１シェル２１０、第２シェル２２０、第３シェル２３０、及び第４シェル２４０）を上述した第１〜第４マッサージパターンで肌に当接させてマッサージすることができるため、マッサージ効果が異なるマッサージを顔全体に対して行うことができる。
【００９１】
以上説明したように、実施例３の美容器は、使用者が把持する第５シェル２５０と、肌の離れた位置に同時に当接する複数の当接部（第１シェル２１０と第２シェル２２０、第２シェル２２０と第３シェル２３０、第３シェル２３０と第４シェル２４０、又は第４シェル２４０と第１シェル２１０）と、肌に同時に当接する複数の当接部の間において肌を流れる電流を供給する電流供給部とを備えている。また、当接部の第１〜第４シェル２１０，２２０,２３０，２４０は美容器の外縁部である。
【００９２】
実施例３の美容器は、使用者が第５シェル２５０を摘むように把持して、複数の当接部を肌の離れた位置に同時に当接させると、これら当接部の間において電流が肌を流れる。また、この美容器は当接部の第１〜第４シェル２１０，２２０,２３０，２４０が外縁部であり、肌を擦るようにこれらの外縁部である第１〜第４シェル２１０，２２０,２３０，２４０を移動させることによって、肌を押し流したり、引き上げたりするマッサージ効果を発揮するとともに、肌に同時に当接させた複数の当接部の間において肌に電流が流れて電気的刺激による美容効果を発揮することができる。このように、この美容器は、把持部と当接部との間において人体に電流を流すものではないため、把持部の素材やデザインの制約を少なくすることができる。
【００９３】
したがって、実施例３の美容器は、電気的刺激による美容効果を発揮することができるとともに、素材やデザインの自由度を高くすることができる。
【００９４】
また、実施例３において、複数の当接部の内の隣り合う２個の当接部（第１シェル２１０と第２シェル２２０、第２シェル２２０と第３シェル２３０、第３シェル２３０と第４シェル２４０、又は第４シェル２４０と第１シェル２１０）を肌に同時に当接させて移動させる。このため、この美容器は、隣り合う２個の当接部によってマッサージ効果と電気的刺激による美容効果とを発揮することができる。
【００９５】
また、実施例３の美容器において、把持部である第５シェル２５０は非導電性である。このため、導電性を有する把持部にする場合に比べて、この美容器は把持部の材質及びデザインの自由度を高くすることができる。つまり、把持部を導電性にする場合、把持部を銀メッキ等したり、導電性物質で形成したりする必要があるため、材質が限られたり、色をつけることが困難だったりするが、この美容器の把持部は非導電性であるため、材質及びデザインの自由度が高い。
【００９６】
＜実施例４＞
実施例４の美容器を図３３〜図３５によって説明する。
本実施例の美容器は、第１回転体３０２Ａ及び第２回転体３０２Ｂが把持部３０１Ａに対して上下に変位する点で、実施例２とは相違する。なお、実施例２と同様の構成には同一符号を付して重複する説明を省略する。
【００９７】
実施例４の美容器は、実施例２と同様、本体部３０１と２個の回転体（第１回転体３０２Ａ、第２回転体３０２Ｂ）とから構成されている。本体部３０１は、実施例２と同様、把持部３０１Ａと、把持部３０１Ａの端部から二股状に分岐した分岐部３０１Ｂとを有し、両分岐部３０１Ｂの先端の夫々に第１回転体３０２Ａ及び第２回転体３０２Ｂが回転自在に取り付けられている。分岐部３０１Ｂは、把持部３０１Ａに備えられた旋回シャフト４６１に旋回自在に取り付けられている。これにより、分岐部３０１Ｂは上下方向に変位する。
【００９８】
実施例４の美容器の説明における上下及び左右は、実施例２と同様とする。すなわち、ソーラーカバー３６０を正面に見た状態で、第１回転体３０２Ａ及び第２回転体３０２Ｂを上側に位置させたときの上下及び左右とする。
【００９９】
本体部３０１は、図３４に示すように、第１シェル３１０、第２シェル３２０、コア部３４０、及び電流供給部３０９を備えている。本体部３０１は、第１シェル３１０、第２シェル３２０、ソーラーカバー３６０のレンズ部３６０Ａ、及び分岐カバー４７０によって外殻が形成されている。第２シェル３２０は、分岐部３０１Ｂを間にして上下に分割されている。第２シェル３２０は、上側分割シェル体３２０Ａと下側分割シェル体３２０Ｂとを有している。第１シェル３１０、コア部３４０、及び下側分割シェル体３２０Ｂは、螺子Ｓ３６により固定される。上側分割シェル体３２０Ａは、下側分割シェル体３２０Ｂに係止することで固定される。コア部３４０と第１シェル３１０との間には、パッキン４９４が介在している。
【０１００】
ソーラーカバー３６０は、実施例２と同様、レンズ部３６０Ａ、鍔部３６０Ｂ、連結部３６０Ｃ、及び被係止部３６０Ｄを具備している。ソーラーカバー３６０は、実施例２と同様、螺子Ｓ３７により両面テープ３６０Ｅを介して第１シェル３１０に取り付けられる。ソーラーカバー３６０の鍔部３６０Ｂと第１シェル３１０の開口部３１０Ｂの開口周縁部との間にシールリング３６１が挟み込まれる。
【０１０１】
コア部３４０は、電流供給部３０９及び錘部材３４３を内蔵している。錘部材３４３はコア部３４０の下部に螺子Ｓ３１によって固定される。電流供給部３０９は、太陽電池パネル３６２と導電通路とから構成される。太陽電池パネル３６２は上下方向に長い長方形状の平板であり、プラス電極とマイナス電極とが備えられている。導電通路については後ほど詳しく説明する。
【０１０２】
コア部３４０には、旋回シャフト４６１を旋回自在に保持するベース部４６０が取り付けられている。
ベース部４６０は、金属製であって、全体として上下方向に長い板状をなしている。ベース部４６０の上下方向の寸法は、太陽電池パネル３６２の上下方向の寸法より大きい。ベース部４６０は、コア部３４０を間にして太陽電池パネル３６２と重なる位置に配される。
【０１０３】
ベース部４６０の螺子孔には、太陽電池パネル３６２から延びた第１導線４７１及び第２導線４７２の端部に接続された丸ワッシャー４７３を軸部が挿通した金属製の螺子Ｓ３５がねじ込まれる。
【０１０４】
ベース部４６０は、旋回シャフト４６１を保持する一対のシャフト受け部４６２を有している。各シャフト受け部４６２には、旋回シャフト４６１の端部が挿入される穴部が形成されている。
【０１０５】
旋回シャフト４６１は、一対のアーム軸受４６６に挿入されている。一対のアーム軸受４６６の外周側には、分岐部３０１Ｂを付勢する一対のねじりばね４６７が装着されている。一対のねじりばね４６７は、分岐部３０１Ｂが基準位置から離れる方向に旋回した場合に、分岐部３０１Ｂを基準位置側に復帰させる付勢力を生じさせる。一対のねじりばね４６７の間にはワッシャー４２３が配され、一対のねじりばね４６７が互いに接しないようにされる。各ねじりばね４６７の一端は、ベース部４６０に形成された一対の固定孔４９９Ａに嵌入される。
【０１０６】
ベース部４６０には、ねじりばね４６７の位置を調節するアジャスタ４６３が取り付けられている。アジャスタ４６３は、螺子Ｓ３２によってベース部４６０に固定される。アジャスタ４６３の取り付け位置は、ベース部４６０に対して前後方向にずらすことができる。
【０１０７】
アジャスタ４６３にはベース部４６０の固定孔４９９Ａに挿通されたねじりばね４６７の一端部が嵌入される固定孔４９９Ｂが形成されている。ねじりばね４６７の一端部の前後方向の位置は、アジャスタ４６３の取り付け位置により調節される。ねじりばね４６７の一端部の前後方向の位置を調節することにより、分岐アーム４６４の基準位置を調節することができる。
【０１０８】
ベース部４６０には、分岐部３０１Ｂが基準位置から最大旋回角度まで旋回したときに、分岐アーム４６４が弾性的に当接するクッション４２２が取り付けられている。
【０１０９】
分岐部３０１Ｂは、分岐アーム４６４と、第１回転軸４３０Ａ及び第２回転軸４３０Ｂと、分岐カバー４７０とを備えている。
分岐アーム４６４は、金属製であって、アーム軸受４６６が取り付けられる一対のタブ部４６５を有している。一対のタブ部４６５は、ベース部４６０の一対のシャフト受け部４６２の間に配置される。一対のタブ部４６５の外縁は、分岐部３０１Ｂが最大旋回角度まで旋回したときにクッション４２２を介してベース部４６０に当たり、それ以上の旋回を制限する。
【０１１０】
分岐アーム４６４には、第１回転軸４３０Ａの第１シャフト４８１Ａ及び第２回転軸４３０Ｂの第２シャフト４８１Ｂが取り付けられる一対のシャフト取付部４６８が備えられている。各シャフト取付部４６８には螺子穴が形成され、第１シャフト４８１Ａ及び第２シャフト４８１Ｂが螺子Ｓ４３により固定される。
【０１１１】
第１回転軸４３０Ａ及び第２回転軸４３０Ｂの夫々は、第１シャフト４８１Ａ及び第２シャフト４８１Ｂと、軸受け部材４８２とを有している。
第１シャフト４８１Ａ及び第２シャフト４８１Ｂは金属製である。第１シャフト４８１Ａ及び第２シャフト４８１Ｂは、分岐アーム４６４に固定される固定部４３１と、軸受け部材４８２に挿入される挿入部４３２とを有している。固定部４３１には、螺子孔が形成されている。固定部４３１は、螺子Ｓ４３によって分岐アーム４６４に固定される。固定部４３１は、筒部３４１の内側に配される。固定部４３１には、導電通路の第１平型導体５０２Ａ又は第２平型導体５０２Ｂが電気的に接続される。この点については、導電通路の説明において詳しく説明する。
【０１１２】
第１シャフト４８１Ａ及び第２シャフト４８１Ｂの挿入部４３２は、軸受け部材４８２を回転自在に軸支している。軸受け部材４８２は導電性を有する樹脂製である。このため、第１シャフト４８１Ａ及び第２シャフト４８１Ｂと軸受け部材４８２とは電気的に連結された状態になる。
【０１１３】
軸受け部材４８２を挿通した第１シャフト４８１Ａ及び第２シャフト４８１Ｂの先端部には、Ｅリング５２０が取り付けられている。これにより、軸受け部材４８２が第１シャフト４８１Ａ及び第２シャフト４８１Ｂから抜け止めされている。Ｅリング５２０と軸受け部材４８２との間には、スペーサ５２１が配されている。
【０１１４】
第１回転軸４３０Ａ及び第２回転軸４３０Ｂの夫々に取り付けられる第１回転体３０２Ａ及び第２回転体３０２Ｂは、実施例２と同様の構成を有し、第１シャフト４８１Ａ及び第２シャフト４８１Ｂに対して回転自在に取り付けられる。
【０１１５】
分岐カバー４７０は、第１分岐カバー４７０Ｆ及び第２分岐カバー４７０Ｓを組み合わせてなる。分岐カバー４７０と分岐アーム４６４とは螺子Ｓ４４により固定される。分岐カバー４７０は、第１シャフト４８１Ａ及び第２シャフト４８１Ｂが挿通される一対の筒部３４１を備えている。一対の筒部３４１は、ともに円筒状をなしている。
【０１１６】
第１分岐カバー４７０Ｆは、筒部３４１を構成する一対の第１筒部３４１Ｆを備えている。第２分岐カバー４７０Ｓは、筒部３４１を構成する一対の第２筒部３４１Ｓを備えている。第１筒部３４１Ｆ及び第２筒部３４１Ｓは半円筒状をなしている。
【０１１７】
筒部３４１には、合成樹脂製の円筒状をなすキャップ部材３５０が嵌着される。これにより、第１分岐カバー４７０Ｆと第２分岐カバー４７０Ｓとが合わさった状態に保持される。キャップ部材３５０と後述する軸受け部材４８２との間には、軸受け部材４８２の磨耗を防ぐべくＯリング５２２が挟み込まれている。
【０１１８】
さて、導電通路は、第１導線４７１及び第２導線４７２、第１平型導体５０２Ａ、第２平型導体５０２Ｂ、第１回転軸４３０Ａ及び第２回転軸４３０Ｂによって構成されている。第１導線４７１は太陽電池パネル３６２のプラス電極に連結されている。第２導線４７２は太陽電池パネル３６２のマイナス電極に連結されている。第１導線４７１及び第２導線４７２は、先端部に金属製の丸ワッシャー４７３が接続されている。
【０１１９】
第１平型導体５０２Ａ及び第２平型導体５０２Ｂは、薄くて平らな配線部材である。第１平型導体５０２Ａ及び第２平型導体５０２Ｂは、例えばフラットケーブル（ＦＣ）やフレキシブル配線板（ＦＰＣ）等を用いることができる。第１平型導体５０２Ａ及び第２平型導体５０２Ｂは、フラットな面に沿って曲げが容易なフレキシブル性を有している。
【０１２０】
第１平型導体５０２Ａ及び第２平型導体５０２Ｂは、図３４及び図３５に示すように、絶縁性を有するフィルム５０７により一枚の帯状に形成されている。第１平型導体５０２Ａ及び第２平型導体５０２Ｂは、ベース部４６０の板面に沿って配される。第１平型導体５０２Ａの端子部５０３は、第１導線４７１の端部に接続された丸ワッシャー４７３を軸部が挿通した金属製の螺子Ｓ３５により、第１導線４７１に電気的に接続されている。第２平型導体５０２Ｂの端子部５０３は、第２導線４７２の端部に接続された丸ワッシャー４７３を軸部が挿通した金属製の螺子Ｓ３５により、第２導線４７２に電気的に接続されている。
【０１２１】
第１平型導体５０２Ａ及び第２平型導体５０２Ｂは、分岐アーム４６４とねじりばね４６７との間を通って、第１シャフト４８１Ａ及び第２シャフト４８１Ｂに延びる。第１平型導体５０２Ａ又は第２平型導体５０２Ｂの端子部５０３は、第１シャフト４８１Ａ及び第２シャフト４８１Ｂの固定部４３１と分岐アーム４６４との間に配される。
【０１２２】
固定部４３１は、第１平型導体５０２Ａ又は第２平型導体５０２Ｂと接続する接続面５０５を有している。接続面５０５は、分岐アーム４６４の板面に沿う平らな面である。接続面５０５は、第１平型導体５０２Ａ又は第２平型導体５０２Ｂの端子部５０３と面接触する。
【０１２３】
第１平型導体５０２Ａの端子部５０３と分岐アーム４６４との間、及び第２平型導体５０２Ｂの端子部５０３と分岐アーム４６４との間には、絶縁シート５０４が配される。絶縁シート５０４は方形状をなし、第１平型導体５０２Ａの端子部５０３と分岐アーム４６４との間、及び第２平型導体５０２Ｂの端子部５０３と分岐アーム４６４との間を絶縁する。
【０１２４】
第１シャフト４８１Ａの固定部４３１の螺子孔には、第１平型導体５０２Ａを軸部が挿通した金属製の螺子Ｓ４３がねじ込まれる。第２シャフト４８１Ｂの固定部４３１の螺子孔には、第２平型導体５０２Ｂを軸部が挿通した金属製の螺子Ｓ４３がねじ込まれる。これにより、第１平型導体５０２Ａと第１シャフト４８１Ａとが電気的に接続され、第２平型導体５０２Ｂと第２シャフト４８１Ｂとが電気的に接続された状態になる。なお、第１平型導体５０２Ａ及び第２平型導体５０２Ｂは、フィルム５０７により螺子Ｓ３６と絶縁される。
【０１２５】
第１回転体３０２Ａは、第１回転軸４３０Ａ、第１平型導体５０２Ａ及び第１導線４７１を介して太陽電池パネル３６２のプラス電極に電気的に連結されている。また、第２回転体３０２Ｂは、第２回転軸４３０Ｂ、第２平型導体５０２Ｂ及び第２導線４７２を介して太陽電池パネル３６２のマイナス電極に電気的に連結されている。
【０１２６】
このような構成を有する美容器は、実施例２と同様、第１回転体３０２Ａ及び第２回転体３０２Ｂが肌に当接する当接部を構成する。この美容器は、第１回転体３０２Ａ及び第２回転体３０２Ｂを肌に当接させて往復移動させる。すると、第１回転体３０２Ａと第２回転体３０２Ｂとが肌を摘み上げて血流を促進するマッサージ効果を発揮する。また、第１回転体３０２Ａが太陽電池パネル３６２のプラス電極に電気的に連結し、第２回転体３０２Ｂが太陽電池パネル３６２のマイナス電極に電気的に連結しているため、第１回転体３０２Ａと第２回転体３０２Ｂとの間において肌に電流が流れて電気的刺激による美容効果も発揮することができる。
【０１２７】
また、この美容器は、第１回転体３０２Ａ及び第２回転体３０２Ｂを肌に当接させて往復移動させると、分岐部３０１Ｂが上下に旋回する。導電通路の第１平型導体５０２Ａ及び第２平型導体５０２Ｂは、分岐部３０１Ｂの旋回に伴って屈曲する。ここで、仮に、導電通路の屈曲部分が線状の導線である場合、屈曲の形が自由であるために、導線がねじりばね４６７等の付勢部材に接触する虞がある。しかしながら、本実施例では、導電通路の屈曲部分が第１平型導体５０２Ａ及び第２平型導体５０２Ｂであるから、屈曲の形が一定の形に定められる。第１平型導体５０２Ａ及び第２平型導体５０２Ｂは、ベース部４６０の板面、及び分岐アーム４６４の板面に沿った状態を維持し、表裏の一方の面が内側、他方の面が外側に位置する形に屈曲する。これにより、第１平型導体５０２Ａ及び第２平型導体５０２Ｂがねじりばね４６７等の付勢部材に接触することを防ぎ、もってそれによる断線を防ぐことができる。
【０１２８】
以上説明したように、実施例４の美容器は、使用者が把持する把持部３０１Ａと、肌の離れた位置に同時に当接する第１回転体３０２Ａ及び第２回転体３０２Ｂと、第１回転体３０２Ａと第２回転体３０２Ｂとの間において肌を流れる電流を供給する電流供給部３０９（太陽電池パネル３６２と導電通路（第１導線４７１及び第２導線４７２、第１平型導体５０２Ａ、第２平型導体５０２Ｂ、第１回転軸４３０Ａ及び第２回転軸４３０Ｂ））とを備えている。
【０１２９】
実施例４の美容器は、使用者が第１シェル３１０及び第２シェル３２０によって外殻を構成した把持部３０１Ａを把持して、第１回転体３０２Ａ及び第２回転体３０２Ｂを肌の離れた位置に同時に当接させると、第１回転体３０２Ａと第２回転体３０２Ｂとの間において電流が肌を流れる。この美容器は、第１回転体３０２Ａ及び第２回転体３０２Ｂを肌に同時に当接させながら移動することによってマッサージ効果を発揮するとともに、第１回転体３０２Ａと第２回転体３０２Ｂとの間において肌に電流が流れて電気的刺激による美容効果を発揮することができる。この美容器は、把持部３０１Ａと第１回転体３０２Ａ及び第２回転体３０２Ｂとの間において人体に電流を流すものではないため、把持部３０１Ａの素材やデザインの制約を少なくすることができる。
【０１３０】
したがって、実施例４の美容器は、実施例２の美容器と同様、電気的刺激による美容効果を発揮することができるとともに、素材やデザインの自由度を高くすることができる。また、実施例２の美容器と同様、当接部は肌に当接して移動させると回転する第１回転３０２Ａ及び第２回転体３０２Ｂであり、第１回転体３０２Ａと第２回転体３０２Ｂとは隣り合って配置されている。このため、美容器は第１回転体３０２Ａ及び第２回転体３０２Ｂが肌に当接して回転しながら移動することによって肌を摘み上げて血流を促進するマッサージ効果を発揮することができる。
【０１３１】
本発明は上記記述及び図面によって説明した実施例１及び３に限定されるものではなく、例えば次のような実施例も本発明の技術的範囲に含まれる。
（１）実施例１及び３では４個の当接部を備えていたが、当接部は４個以外の複数個であってもよい。
（２）実施例１では２個の回転体を備えていたが、回転体を備えなくてもよい。
（３）実施例１では４個の当接部の内の真ん中の２個が回転体であったが、回転体の配置は真ん中でなくてもよい。
（４）実施例１では２個の回転体を備えていたが、１個又は３個以上の回転体を備えていてもよい。
（５）本体部と回転体の形態は実施例１の形態に限らない。
（６）美容器の形態は実施例３の形態に限らない。
（７）実施例４では、導電通路が第１平型導体５０２Ａ及び第２平型導体５０２Ｂを備えていたが、導電通路はいずれか一方のみを備えても良い。例えば図３６に示すように、美容器が第１平型導体５０２Ａのみを有するものとしてもよい。この場合、ベース部４６０及び分岐アーム４６４が、第２導線４７２と第２回転軸４３０Ｂとの間を接続する。すなわち第２導線４７２、ベース部４６０、分岐アーム４６４、第２回転軸４３０Ｂにより、第２回転体３０２Ｂが太陽電池パネル３６２のマイナス電極に電気的に接続される。ベース部４６０のシャフト受け部４６２と分岐アーム４６４のタブ部４６５とを、一対のアーム軸受４６６を導電性とすることで電気的に接続してもよい。第１平型導体５０２Ａ側のみに絶縁シート５０４を配し、分岐アーム４６４と第２回転軸４３０Ｂとを直接当接させて電気的に接続してもよい。
（８）実施例４では、分岐アーム４６４が金属製であったが、分岐アームは合成樹脂製であってもよい。このような構成によれば、絶縁シート５０４を省略することができる。
（９）実施例４では、導電通路が第１平型導体５０２Ａ及び第２平型導体５０２Ｂを備えていたが、第１平型導体５０２Ａ及び第２平型導体５０２Ｂのかわりに、ベース部４６０及び分岐アーム４６４を分割した形態の板状導電部材を用いても良い。例えば図３７に示すように、美容器が、ベース部４６０を左右に分割してなる第１ベース部４６０Ａ及び第２ベース部４６０Ｂと、分岐アーム４６４を分割した形態の第１アーム４６４Ａ及び第２アーム４６４Ｂを有してもよい。この場合、第１ベース部４６０Ａと第２ベース部４６０Ｂとは互いに絶縁され、第１アーム４６４Ａと第２アーム４６４Ｂとは互いに絶縁される。第１導線４７１、第１ベース部４６０Ａ、第１アーム４６４Ａ、第１回転軸４３０Ａにより、第１回転体３０２Ａを太陽電池パネル３６２のプラス電極に電気的に接続される。第２導線４７２、第２ベース部４６０Ｂ、第２アーム４６４Ｂ、第２回転軸４３０Ｂにより、第２回転体３０２Ｂを太陽電池パネル３６２のマイナス電極に電気的に接続される。
（１０）実施例４では、第１回転体３０２Ａ及び第２回転体３０２Ｂは、球形状をなしているが、回転体の形状は任意に変更してもよい。例えば図３８に示すように、美容器は、外形が円柱状をなす第１回転体６０２Ａ及び第２回転体６０２Ｂを備えていてもよい。
（１１）実施例４では、第１平型導体５０２Ａ及び第２平型導体５０２Ｂは、絶縁性を有するフィルム５０７により一枚の帯状に形成されているが、第１平型導体５０２Ａ及び第２平型導体５０２Ｂは、絶縁性を有するフィルムでそれぞれ被覆し、別体の帯状に形成してもよい。
【符号の説明】
【０１３２】
３０，１０１Ａ，２５０，３０１Ａ…把持部（３０…第３シェル、２５０…第５シェル）
２Ａ，２Ｂ，１０，２０、１０２Ａ，１０２Ｂ，２１０，２２０，２３０，２４０，３０２Ａ，３０２Ｂ…当接部（２Ａ，１０２Ａ，３０２Ａ…第１回転体、２Ｂ，１０２Ｂ，３０２Ｂ…第２回転体、１０，２１０，３１０…第１シェル、２０，２２０，３２０…第２シェル、２３０…第３シェル、２４０…第４シェル）
６Ａ，６Ｂ，１１，１２，２１，２２，６６，７１，７２,７３，７４…導電通路（６Ａ…第１回転軸、６Ｂ…第２回転軸、１１…第１端子、１２…第２端子、２１…第３端子、２２…第４端子、６６Ａ，６６Ｂ…通電用螺子、７１…第１導電板、７２…第２導電板、７３…第３導電板、７４…第４導電板）
５０…電源ユニット
６２，１６２，３６２…太陽電池パネル、
２Ａ，２Ｂ、１０２Ａ，１０２Ｂ、３０２Ａ，３０２Ｂ，６０２Ａ，６０２Ｂ…回転体（２Ａ、１０２Ａ、３０２Ａ，６０２Ａ…第１回転体、２Ｂ、１０２Ｂ、３０２Ｂ，６０２Ｂ…第２回転体）
１７１，及び１７２，１０６Ａ，１０６Ｂ，４７１，４７２，４３０Ａ，４３０Ｂ，５０２Ａ，５０２Ｂ，４６０Ａ，４６０Ｂ，４６４Ａ，４６４Ｂ…導電通路（１７１，４７１…第１導線、１７２，４７２…第２導線、１０６Ａ，４３０Ａ…第１回転軸、１０６Ｂ，４３０Ｂ…第２回転軸、５０２Ａ…第１平型導体、５０２Ｂ…第２平型導体、４６０Ａ…第１ベース部，４６０Ｂ…第２ベース部，４６４Ａ…第１アーム，４６４Ｂ…第２アーム）
【図１】
2020025850.tif 000003
【図２】
2020025850.tif 000004
【図３】
2020025850.tif 000005
【図４】
2020025850.tif 000006
【図５】
2020025850.tif 000007
【図６】
2020025850.tif 000008
【図７】
2020025850.tif 000009
【図８】
2020025850.tif 000010
【図９】
2020025850.tif 000011
【図１０】
2020025850.tif 000012
【図１１】
2020025850.tif 000013
【図１２】
2020025850.tif 000014
【図１３】
2020025850.tif 000015
【図１４】
2020025850.tif 000016
【図１５】
2020025850.tif 000017
【図１６】
2020025850.tif 000018
【図１７】
2020025850.tif 000019
【図１８】
2020025850.tif 000020
【図１９】
2020025850.tif 000021
【図２０】
2020025850.tif 000022
【図２１】
2020025850.tif 000023
【図２２】
2020025850.tif 000024
【図２３】
2020025850.tif 000025
【図２４】
2020025850.tif 000026
【図２５】
2020025850.tif 000027
【図２６】
2020025850.tif 000028
【図２７】
2020025850.tif 000029
【図２８】
2020025850.tif 000030
【図２９】
2020025850.tif 000031
【図３０】
2020025850.tif 000032
【図３１】
2020025850.tif 000033
【図３２】
2020025850.tif 000034
【図３３】
2020025850.tif 000035
【図３４】
2020025850.tif 000036
【図３５】
2020025850.tif 000037
【図３６】
2020025850.tif 000038
【図３７】
2020025850.tif 000039
【図３８】
2020025850.tif 000040